(57)【要約】  冷蔵庫は、前面に操作表示部が設けられ、貯蔵室の開口を開閉する扉と、扉を構成するパネル面材とを備える。パネル面材は、前面を構成する透光性板材と、透光性板材の背面に配置され、操作表示部に対向する部分に開口を有する意匠フィルムと、意匠フィルムの背面に配置され、意匠フィルムを保護する透光性の保護フィルムとを備える。
2020174620.tif 000002
【特許請求の範囲】
【請求項１】
前面に操作表示部が設けられ、貯蔵室の開口を開閉する扉と、
前記扉を構成するパネル面材とを備え、
前記パネル面材は、
前面を構成する透光性板材と、
前記透光性板材の背面に配置され、前記操作表示部に対向する部分に開口を有する意匠フィルムと、
前記意匠フィルムの背面に配置され、前記意匠フィルムを保護する透光性の保護フィルムとを備えた冷蔵庫。
【請求項２】
前記意匠フィルムと前記保護フィルムとの色差を示すΔＥが１．５以下である請求項１記載の冷蔵庫。
【発明の詳細な説明】
【技術分野】
【０００１】
本発明は、透光性板材を備えた冷蔵庫扉を有する冷蔵庫に関する。
【背景技術】
【０００２】
近年の冷蔵庫の冷蔵庫扉は、透光性板材を備えたパネル面材で構成された仕様が主流となっている。従来のパネル面材は、前面を構成する透光性板材と、透光性板材の背面に設けられ、光源からの光を透過させて表示領域を形成する透光層と、透光性板材の背面に設けられ、透光層の表示領域の周囲を覆う意匠層と、意匠層の背面に設けられ、光源からの光を遮る材料で構成された遮光層とを備えている（例えば、特許文献１参照）。特許文献１において、遮光層は、透光層の表示領域に対向する部分が開口されており、遮光層の背面側に配置された光源からの光が、遮光層の開口部分を通過し、更に透光層の表示領域を通過してパネル面材の前面に到達するようになっている。そして、特許文献１では、冷蔵庫扉に設けられた操作表示部を、パネル面材の前面に到達した光によって背面側から照らす構成となっている。
【先行技術文献】
【特許文献】
【０００３】
【特許文献１】特開２０１８−４０９４５号公報
【発明の概要】
【発明が解決しようとする課題】
【０００４】
特許文献１では、遮光層の背面側に配置された光源からの光が透光層のみを通過して操作表示部に到達するようになっている。つまり、光源からの光が意匠層及び遮光層を通過しない。このため、光源からの光の光量及び色は、大きく変化することなく操作表示部に到達し、意図した意匠性を確保できる。しかし、特許文献１では、表示領域を構成する透光層の背面が外部に露出した状態となっているため、製造時に、外部要因によって透光層にキズが生じたり、汚れが付着したり等の不具合が生じやすい。使用者は、透光層を通過した後の光を操作表示部にて視認することになるため、透光層にこのような不具合があると、目立ちやすいという問題があった。【０００５】
本発明はこのような点を鑑みなされたもので、製造時における操作表示部に対するキズ又は汚れといった不具合を抑制でき、良好な表示を実現できる冷蔵庫を提供することを目的とする。
【課題を解決するための手段】
【０００６】
本発明に係る冷蔵庫は、前面に操作表示部が設けられ、貯蔵室の開口を開閉する扉と、扉を構成するパネル面材とを備え、パネル面材は、前面を構成する透光性板材と、透光性板材の背面に配置され、操作表示部に対向する部分に開口を有する意匠フィルムと、意匠フィルムの背面に配置され、意匠フィルムを保護する透光性の保護フィルムとを備えたものである。
【発明の効果】
【０００７】
本発明によれば、透光性を有する保護フィルムが意匠フィルムの背面に設けられているので、製造時において、意匠フィルムに対するキズ又は汚れといった不具合を抑制でき、操作表示部の良好な表示を実現できる。
【図面の簡単な説明】
【０００８】
【図１】本発明の実施の形態１に係る冷蔵庫を示す正面図である。
【図２】図１の冷蔵室の扉の概略分解斜視図である。
【図３】図１のＡ−Ａ断面図である。
【図４】本発明の実施の形態１に係る冷蔵庫のパネル面材における操作表示部以外の部分のパネル面材の積層構造を示す概略断面図である。
【図５】本発明の実施の形態１に係る冷蔵庫のパネル面材における操作表示部周囲のパネル面材の積層構造を示す概略断面図である。
【図６】比較例のパネル面材における操作表示部付近の光量の説明図である。
【図７】本発明の実施の形態１に係る冷蔵庫のパネル面材における操作表示部付近の光量の説明図である。
【図８】本発明の実施の形態２に係る冷蔵庫の扉の操作表示部の正面図である。
【図９】色差を示すΔＥの説明図である。
【図１０】比較例の冷蔵庫の操作表示部の正面図である。
【発明を実施するための形態】
【０００９】
以下、図面を参照して、本発明の実施の形態について説明する。なお、各図中、同一又は相当する部分には、同一符号を付して、その説明を適宜省略又は簡略化する。また、各図に記載の構成について、その形状、大きさ及び配置等は、本発明の範囲内で適宜変更することができる。
【００１０】
実施の形態１．
図１は、本発明の実施の形態１に係る冷蔵庫を示す正面図である。
冷蔵庫１は、複数の貯蔵室を備えている。具体的には、冷蔵庫１は、冷蔵室２、製氷室３、切替え室４、冷凍室５及び野菜室６を備えている。また、冷蔵庫１は貯蔵室を開閉する扉を備えている。具体的には、冷蔵庫１は、冷蔵室２を開閉する回転式の扉２ａ及び扉２ｂと、製氷室３、切替え室４、冷凍室５及び野菜室６を開閉する引き出し式の扉３ａ、扉４ａ、扉５ａ及び扉６ａを備えている。
【００１１】
冷蔵室２の左側の扉２ａの前面には操作表示部７が設けられている。本実施の形態１は、操作表示部７の視認性を改善する構造を提案したものである。
【００１２】
図２は、図１の冷蔵室の扉の概略分解斜視図である。以下、図２の左側が前面、右側が背面として説明する。図２には、代表して操作表示部７が設置された冷蔵室２の左側の扉２ａを示している。図３は、図１のＡ−Ａ断面図である。
扉２ａは、前面を構成するパネル面材８と、枠体９と、操作パネル１０と、操作パネル保持部材１１と、背面を構成する扉内壁部材１３とを備え、パネル面材８と扉内壁部材１３との間に発泡断熱材１２が充填された構成を有する。発泡断熱材１２はパネル面材８に接着されている。また、図示しないが、発泡断熱材１２と共に真空断熱材をパネル面材８と扉内壁部材１３との間に配置する構造としても良い。
【００１３】
枠体９は、左側枠体９ａ、右側枠体９ｂ、上側枠体９ｃ及び下側枠体９ｄを有し、各枠体のそれぞれは、パネル面材８と扉内壁部材１３とを保持している。
【００１４】
操作パネル１０は、各貯蔵室の温度を設定するなどの操作が行われる部分である。操作パネル１０は、パネル面材８に設けられた操作表示部７の背面に配置されている。操作パネル保持部材１１は、操作パネル１０の背面に配置され、操作パネル１０をパネル面材８の背面に固定して保持するものである。
【００１５】
操作パネル１０は、図３に示すように光源となるＬＥＤ１６が前面側に実装された操作パネル基板１５と、操作パネル基板１５の前面に配置された表示フィルム１４とを有する。
【００１６】
図４は、本発明の実施の形態１に係る冷蔵庫のパネル面材における操作表示部以外の部分のパネル面材８の積層構造を示す概略断面図である。
パネル面材８は、透光性板材１７を表面とし、透光性板材１７の背面側に粘着剤１８で意匠フィルム１９が固着され、意匠フィルム１９の背面側に粘着剤２０で保護フィルム２１が固着された構成を有する。保護フィルム２１の背面には発泡断熱材１２が充填されている。
【００１７】
透光性板材１７は、ガラス又はアクリルなどの透過性材料で構成された板材である。
【００１８】
意匠フィルム１９は薄い膜状で、着色されたものであればよい。意匠フィルム１９のデザイン及び色等の全容は、透光性板材１７を通してユーザに視認される。扉２ａは上述したようにパネル面材８を有しており、パネル面材８が冷蔵庫１の前面の大部分を占めることから、意匠フィルム１９のデザイン及び色は、冷蔵庫１の外観イメージに大きく影響する。
【００１９】
保護フィルム２１は、薄い膜状のものであって、意匠フィルム１９を外的要因から保護するものである。外部要因としては、例えばパネル面材８の背面に発泡断熱材１２を充填する際の温度及び圧力、パネル面材８の取り扱い時における爪での引っ掻きなどが挙げられる。外部要因が直接、意匠フィルム１９に加わると、意匠フィルム１９にキズがついたり、意匠フィルム１９が透光性板材１７から剥がれてしまったりする可能性があるため、保護フィルム２１を用いて意匠フィルム１９を保護する。保護フィルム２１は、発泡断熱材１２の充填時における高温及び圧力に耐えられることができ、また、外部からの引っ掻きに対して耐性のあるものであればよい。
【００２０】
そして、本実施の形態１の特徴とする構成としては、保護フィルム２１が透光性を有することにある。保護フィルム２１が透光性を有することで、意匠フィルム１９に重ねて配置することができ、意匠フィルム１９を外部要因から保護することができる。
【００２１】
図５は、本発明の実施の形態１に係る冷蔵庫のパネル面材における操作表示部周囲のパネル面材の積層構造を示す概略断面図である。
パネル面材８の意匠フィルム１９には矩形の開口１９ａが形成されている。開口１９ａは、操作表示部７に対向する部分が切り取られて形成されている。意匠フィルム１９が矩形に切り取られていることに伴い、粘着剤１８も矩形に除去されている。
【００２２】
次に、上記した構成の作用について説明する。
まず、比較例として、意匠フィルム１９に開口１９ａを設けずパネル面材８０を構成した場合における、ＬＥＤ１６からの光量２３について図６に示す。
【００２３】
図６は、比較例のパネル面材における操作表示部付近の光量の説明図である。図６において白抜き矢印はＬＥＤ１６からの光を示しており、白抜き矢印の太さは光量の大きさを示している。
比較例のパネル面材８０において、ＬＥＤ１６からの光は、保護フィルム２１及び意匠フィルム１９を通過することで次第に光量２３が弱まって使用者２２に到達する。保護フィルム２１及び意匠フィルム１９が着色されていれば、ＬＥＤ１６からの光が使用者２２に到達するまでの間に弱まるだけでなく、各フィルムの色の影響も受けてＬＥＤ１６の本来の光の色から変化する。同様の現象例を挙げると、スポットライトのような舞台用照明にカラーフィルムをかざすと照明の光量は弱くなり、色付きの光に変化することが該当する。
【００２４】
これに対し、上記図５に示したように、操作表示部７に対応する意匠フィルム１９部分に開口１９ａが設けられている場合の光量は、次の図７に示すようになる。
【００２５】
図７は、本発明の実施の形態１に係る冷蔵庫のパネル面材における操作表示部付近の光量の説明図である。図７において白抜き矢印はＬＥＤ１６からの光を示しており、白抜き矢印の太さは光量の大きさを示している。
ＬＥＤ１６からの光は、保護フィルム２１を通過する際に減少し、使用者２２に到達する際には多少弱くなっている。しかし、ここでは、ＬＥＤ１６からの光は、意匠フィルム１９に設けられた開口１９ａを通過し、意匠フィルム１９自身は通過しない。したがって、図７の構成は、図６の構成よりも使用者２２に到達する光量２３を多く保つことが可能となっている。また、意匠フィルム１９に設けた開口１９ａを光が通過することで、色の影響も図６の構成より少ない。よって、使用者２２は、ＬＥＤ１６の本来の光量に近い光量及び色を視認することができる。つまり、操作表示部７に対向する意匠フィルム部分が開口されていることで、ＬＥＤ１６からの光量を十分に操作表示部７に到達させることができる。その結果、操作表示部７の視認性が向上し、操作性の向上も期待できる。
【００２６】
そして、本実施の形態１では意匠フィルム１９の背面に保護フィルム２１が設けられており、保護フィルム２１が透光性を有するため、使用者２２は保護フィルム２１を通過した光の色を操作表示部７の色として認識することになる。
【００２７】
別の見方をすれば、保護フィルム２１が透光性を有するが故に、意匠フィルム１９の背面に保護フィルム２１を設けることができる。そして、保護フィルム２１を設けたことで、製造時の意匠フィルム１９に対するキズ又は汚れといった不具合を抑制でき、操作表示部７の良好な表示を実現できる。その結果、操作表示部７の視認性が向上し、操作性の向上も期待できる。
【００２８】
このように、本実施の形態１では、操作表示部７に対向する部分に開口１９ａが形成された意匠フィルム１９を、保護フィルム２１で保護する構成としたことで、構造面と製造面での両面から、良好な表示を行える操作表示部７を実現できる。
【００２９】
実施の形態２．
実施の形態２の冷蔵庫１は、意匠フィルム１９と保護フィルム２１との色の差の定義に関する。以下、実施の形態２が実施の形態１と異なる点を中心に説明する。冷蔵庫１の構成及びパネル面材８の層構造等は実施の形態１と同様である。
【００３０】
図８は、本発明の実施の形態２に係る冷蔵庫の扉の操作表示部の正面図である。
実施の形態２の冷蔵庫１は、操作表示部７の色を、扉２ａにおける操作表示部７以外の部分と色の差がほぼ無い色に設定したものである。操作表示部７の色は保護フィルム２１の色によって決まり、扉２ａの操作表示部７以外の部分の色は意匠フィルム１９の色によって決まる。よって、色差がほぼ無いようにするにあたり、具体的には、意匠フィルム１９と保護フィルム２１との色差を示す指標であるΔＥを１．５以下とする。なお、図８の操作表示部７には、複数のボタン及び冷蔵庫１の複数の室を示すアイコンが示されている。これらのアイコンは、表示フィルム１４においてアイコンに対応する部分をＬＥＤ１６からの光を通過する透過部、それ以外の部分を非透過部とすることで実現される。
【００３１】
図９は、色差を示すΔＥの説明図である。
色１と色２との色の差を示す指標としてΔＥがある。ΔＥは以下の式で表される。
【００３２】
【数１】
2020174620.tif 000003
【００３３】
Ｌ１及びＬ２は、色１及び色２の明度を示す。Ｌ値の数値が大きければ、明るく白に近づき、数値が小さければ暗く黒に近づく。ａ１及びａ２は、色１及び色２の色を示す。ａ値が大きければ赤みが強く、小さければ緑が強い。ｂ値が大きければ青みが強く、小さければ黄みが強い。
【００３４】
色の感覚は個人差があるが、品質管理の基準としてΔＥが１．５以下であればほぼ色差がないと判断できる。このため、本実施の形態２の冷蔵庫１は、意匠フィルム１９と保護フィルム２１との色差をΔＥ＝１．５以下とする。
【００３５】
図１０は、比較例の冷蔵庫の操作表示部の正面図である。
図１０には、意匠フィルムの色と保護フィルムの色との色差ΔＥが１．５超であるときの操作表示部７０を示している。この場合、操作表示部７０とその他の部分との境界線が目立ち、操作表示部７０が浮いて見えてしまい、外観が悪くなる。
【００３６】
これに対し、本実施の形態２では、意匠フィルム１９と保護フィルム２１との色差をΔＥ＝１．５以下とすることで、図８に示したように操作表示部７がその他の部分となじんで見え、意匠性を向上できる。
【００３７】
意匠フィルム１９は冷蔵庫１の外観に大きく影響するため、意匠フィルム１９の色は簡単には変更できない。よって、保護フィルム２１の方の色を調整することで、ΔＥを１．５以下にする。保護フィルム２１の大部分は意匠フィルム１９の背面にあるため、保護フィルム２１の色が冷蔵庫１の外観に与える影響は小さい。
【００３８】
ΔＥを１．５以下にする具体例として、例えば意匠フィルム１９を、Ｌ値２８、ａ値５１及びｂ値４１で特定されるカラーコード＃８ｂ００００の赤茶とする。そして、保護フィルム２１を、Ｌ値２９、ａ値５１及びｂ値４１で特定されるカラーコード＃８ｅ０４０４の薄い赤茶とする。この場合、ΔＥ＝１．０となり、意匠フィルム１９と保護フィルム２１の色差がほぼない状態にできる。これにより、操作表示部７が浮いて見えることがなく、外観を良くすることができ、デザイン性を向上できる。
【００３９】
実施の形態２によれば、実施の形態１と同様の効果が得られると共に、意匠フィルム１９と保護フィルム２１との色差をΔＥ＝１．５以下としたので、操作表示部７が周囲から浮いて見えることがなく、外観を良くすることができる。
【符号の説明】
【００４０】
１  冷蔵庫、２  冷蔵室、２ａ  扉、２ｂ  扉、３  製氷室、３ａ  扉、４  切替え室、４ａ  扉、５  冷凍室、５ａ  扉、６  野菜室、６ａ  扉、７  操作表示部、８  パネル面材、９  枠体、９ａ  左側枠体、９ｂ  右側枠体、９ｃ  上側枠体、９ｄ  下側枠体、１０  操作パネル、１１  操作パネル保持部材、１２  発泡断熱材、１３  扉内壁部材、１４  表示フィルム、１５  操作パネル基板、１６  ＬＥＤ、１７  透光性板材、１８  粘着剤、１９  意匠フィルム、１９ａ  開口、２０  粘着剤、２１  保護フィルム、２２  使用者、２３  光量、７０  操作表示部、８０  パネル面材。
【図１】
2020174620.tif 000004
【図２】
2020174620.tif 000005
【図３】
2020174620.tif 000006
【図４】
2020174620.tif 000007
【図５】
2020174620.tif 000008
【図６】
2020174620.tif 000009
【図７】
2020174620.tif 000010
【図８】
2020174620.tif 000011
【図９】
2020174620.tif 000012
【図１０】
2020174620.tif 000013
【手続補正書】
【提出日】令和3年3月10日(2021.3.10)
【手続補正１】
【補正対象書類名】明細書
【補正対象項目名】０００６
【補正方法】変更
【補正の内容】
【０００６】
本発明に係る冷蔵庫は、前面に操作表示部が設けられ、貯蔵室の開口を開閉する扉と、扉を構成するパネル面材とを備え、パネル面材は、前面を構成する透光性板材と、意匠を構成するフィルム層とを備え、フィルム層は、透光性板材の背面に配置され、操作表示部に対向する部分に開口を有する意匠フィルムと、意匠フィルムの背面に配置され、意匠フィルムを保護する透光性の保護フィルムとのみを備えたものである。
【手続補正２】
【補正対象書類名】特許請求の範囲
【補正対象項目名】全文
【補正方法】変更
【補正の内容】
【特許請求の範囲】
【請求項１】
前面に操作表示部が設けられ、貯蔵室の開口を開閉する扉と、
前記扉を構成するパネル面材とを備え、
前記パネル面材は、
前面を構成する透光性板材と、
意匠を構成するフィルム層とを備え、
前記フィルム層は、
前記透光性板材の背面に配置され、前記操作表示部に対向する部分に開口を有する意匠フィルムと、
前記意匠フィルムの背面に配置され、前記意匠フィルムを保護する透光性の保護フィルムとのみを備えた冷蔵庫。
【請求項２】
前記意匠フィルムと前記保護フィルムとの色差を示すΔＥが１．５以下である請求項１記載の冷蔵庫。
【国際調査報告】
2020174620.tif 000014
2020174620.tif 000015
2020174620.tif 000016
2020174620.tif 000017